(57)【要約】【課題】種子の表皮を傷つけることなくワングリップで一粒蒔き及び特定数蒔きを可能にする播種器の提供を図る。【解決手段】種子収納管と、種子選定送り機構と、把持グリップと、種子搬送管と、本体と、で構成され、前記種子選定送り機構は、種子の一粒毎の厚みを有し、同一円周上に等間隔に配置される種子収納穴を設けた種子送り回転盤と、該種子収納穴の所定の一つを覆被する種子選定邪魔板と、前記種子送り回転盤の回動中心部に連結されるラチェット送り装置と、で形成し、一粒蒔き播種器の把持グリップを握り締めて把持することによって、種子収納管に収納される種子が種子選定送り機構により一粒毎に選定され、種子排出口より一粒毎に排出される手段を採る。【選択図】図1
0003170514.tif 000002
【実用新案登録請求の範囲】
【請求項１】
種子収納管と、種子選定送り機構と、把持グリップと、種子搬送管と、本体と、で構成される一粒蒔き播種器であって、
前記種子収納管は、
中空の透明素材で形成し、
該中空部を種子収納貯蔵部として利用し、
一端を種子投入口として形成して密封キャップで止栓すると共に、
他端を種子排出口として形成して成り、
前記種子選定送り機構は、
種子の一粒毎の厚みを有し、同一円周上に等間隔に配置される種子収納穴を設けた種子送り回転盤と、
該種子収納穴の所定の一つを覆被する種子選定邪魔板と、
前記種子送り回転盤の回動中心部に連結されるラチェット送り装置と、で形成し、
前記本体と摺動可能に連結されて成り、
前記把持グリップは、
前記本体の中央連結穴と種子連通穴の位置と形状を同じく形成される固定連結板を有する固定グリップ部と、
前記ラチェット送り装置の先端回動部に連結される可動グリップ部と、
を戻りバネを介して一定角度内で扇動自在に設けて成り、
前記種子搬送管は、
中空の透明素材で形成し、
基端を種子通過口とする連結フランジを形成し、
先端を種子排出口として形成して成り、
前記本体は、
種子投入側には、前記種子収納管の種子排出口に連結される連結凹部を設け、
外周側には、前記種子選定送り機構の種子選定邪魔板が貫通する貫通長穴を設けて取付けられ、
種子排出側の中央部には、前記種子選定送り機構のラチェット送り装置の先端回動部が貫通する中央連結穴を設け、
さらに前記把持グリップの固定連結板を前記本体の中央連結穴と種子連通穴の位置を同じくして連結固定し、
該円周側には、前記種子送り回転盤の種子収納穴と前記種子搬送管の種子通過口を連通する種子連通穴を設けて成り、
前記把持グリップを握り締めて把持することによって、前記種子収納管に収納された種子が、前記種子搬送管の種子排出口より一粒毎に排出されることを特徴とする一粒蒔き播種器。
【請求項２】
前記本体の種子排出側の円周上に、前記把持グリップの可動グリップ部の回動を前記種子収納穴のピッチ角に応じて段階別に制限するストッパー機構を設けたことを特徴とする請求項１に記載の一粒蒔き播種器。
【請求項３】
前記種子選定送り機構の種子送り回転盤の厚みを変えて、多数蒔きも可能とする多数蒔き種子収納穴を設けたことを特徴とする請求項１または請求項２に記載の一粒蒔き播種器。
【考案の詳細な説明】
【技術分野】
【０００１】
本考案は、種子の表皮を傷つけることなくワングリップで一粒蒔き及び特定数蒔きを可能にする播種器に関する。
【背景技術】
【０００２】
従来の大根や人参などの野菜の小粒種子の播種方法は、作業者が畑や菜園で袋詰めされた種子を掌に移し、指で揉み出しながら土壌に点播する方法が主に採られている。しかしながら、その種子の生育状態に適した播種量を適度に指で揉み出しながら点播するには、指先の熟練度を必要とする一方、高価な種子を一粒蒔きすることは容易な作業ではなかった。
【０００３】
また、適量の種子を均等且つ、連続して播種するには、さらに高度な熟練度を必要とするもので、初心者においては種子を必要量以上を播種してしまうことにより、その後の生育段階での間引き作業を必要としたり、種子の購入コストの増大につながるものであった。
【０００４】
一方、野菜や草花の種子を畑や菜園などの土壌に一粒蒔きする播種器においては、下記の要件が満たされていることが望ましい。
（a）作業者の意図に合わせて確実に一粒毎の播種作業が行える構造であること。
（b）一粒毎ならびに多粒毎の切り替えができる構造であること。
（c）種子の種類や大きさに合わせて播種できる構造であること。
（d）種子の選定ならびに搬送過程で種子の表皮を傷つけない構造であること。
（e）ハンドタイプで持ちやすく、腰を曲げない姿勢で播種作業ができること。
（f）種子の播種残量が外部から視認できる構造であること。
（g）播種操作やのメンテナンス作業が容易であること。
（h）小型、軽量、簡単構造であること。
（i）安価であること。
【０００５】
従来より、以上の要件を満たそうとするハンドタイプの播種器が提案されている。例えば、種子ホッパーの中に入れた種子が、上板、中板、下板を３枚重ねにした本体フレームの上板の孔から、中板の幅の中央部に嵌め込まれて且つ、摺動可能な種子押し棒が常時スプリングで押し出された初期の位置で待機する孔に落下して、その孔の容積により小粒な種子の大きさや数量が決まり、次に前記押し出し棒の所定の位置まで押し込むことにより前進幅で、下板の中央部の孔の下部の出口パイプから下方に種子が落下する構造の「種まき器」（特許文献１参照）が提案され、公知技術となっている。
【０００６】
しかしながら、上記の「種まき器」（特許文献１参照）の提案は、前述の（a）、（b）、（c）、（d）、（f）、（g）、 （h）、（i）の要件を満たしておらず、特に押し出し棒によって押し込まれた種子が、中央部の孔の壁面に摺れて種子の表皮を傷つける構造であった。
【０００７】
また、上部枠とＶ字形の下部枠で構成する中空軸の先端端部に、下方を開放した菱形開口部を有する仕切り板を設け、この仕切り板下方前方に、前記下部枠と連続するＶ字形の送り出し溝を設け、この送り出し溝の内面と前記仕切り板の菱形開口部に内接するそろばん玉状の弾性部材からなる回転体を設けて、前記仕切り板の下方に種子通過可能な大きさの流出口と、前記送り出し溝との接点に種子より小さい送り出し口を形成した「種蒔き器」（特許文献２参照）が提案され、公知技術となっている。
【０００８】
しかしながら、上記の「「種蒔き器」（特許文献２参照）の提案は、前述の（a）、（b）、（c）、（f）の要件を満たしておらず、特に種蒔き器の全長が短いため、播種作業が腰を曲げないとできないことと、種子を回転体とＶ字形の下部枠で挟み込んで送り出す手法を採用しているため、種子が連続して送られることにより作業者の意図に合わせて種子の搬送が確実に行うことができないものであった。
【０００９】
また、本出願人が係わる種子を収納するための容器と、播種操作及び播種量を調整する本体と、種子播種位置へ導く誘導部とで構成される「播種器」（特許文献３参照）が提案され、公知技術となっている。
【００１０】
しかしながら、上記の「播種器」（特許文献３参照）の提案は、前述の（ｂ）、（ｃ）、（ｄ）の要件を満たしておらず、特に種子を一粒毎する工程で平板による分離方式を採用していることで、種子の表皮を傷つけてしまう構造であった。
【００１１】
本出願人は、以上のような従来の播種器の問題を解決すると共に、前述の播種器に求められる要件を全て満たし、特に種子においては、種子の表皮を傷つけることなく一粒蒔きを可能にし、農作業者においては、農作業の疲労度を軽減するハンドタイプのワングリップ構造とし、播種器おいては、軽量、簡単構造である上、廉価な一粒蒔きの播種器を開発し、本考案における「一粒蒔きの播種器」の提案に至るものである。
【先行技術文献】
【特許文献】
【００１２】
【特許文献１】特開２００４-２８３０３５号公報
【特許文献２】特表２００９-２５４２７７号公報
【特許文献３】特開２０１０-２６８７４４号公報
【考案の概要】
【考案が解決しようとする課題】
【００１３】
本考案は、上記問題点に鑑み、種子の表皮を傷つけることなくワングリップで一粒蒔き及び特定数蒔きを可能にする播種器の提供を図る。
【課題を解決するための手段】
【００１４】
本考案の一粒蒔き播種器は、種子収納管と、種子選定送り機構と、把持グリップと、種子搬送管と、本体と、で構成される一粒蒔き播種器であって、前記種子収納管は、中空の透明素材で形成し、該中空部を種子収納貯蔵部として利用し、一端を種子投入口として形成して密封キャップで止栓すると共に、他端を種子排出口として形成して成り、前記種子選定送り機構は、種子の一粒毎の厚みを有し、円周上に均等に分割されて配置される種子収納穴を設けた種子送り回転盤と、該種子収納穴の所定の一つを覆被する種子選定邪魔板と、前記種子送り回転盤の回動中心部に連結されるラチェット送り装置と、で形成し、前記本体と摺動可能に連結されて成り、前記本体と摺動可能に連結されて成り、前記把持グリップは、前記本体の中央連結穴と種子連通穴の位置と形状を同じく形成される固定連結板を有する固定グリップ部と、前記ラチェット送り装置の先端部に連結される可動グリップ部と、を戻りバネを介して一定角度内で扇動自在に設けて成り、前記種子搬送管は、中空の透明素材で形成し、基端を種子通過口とする連結フランジを形成し、先端を種子排出口として形成して成り、前記本体は、種子投入側には、前記種子収納管の種子排出口に連結される連結凹部を設け、外周側には、前記種子選定送り機構の種子選定邪魔板を貫通する貫通長穴を設けて取付けられ、種子排出側の中央部には、前記種子選定送り機構のラチェット送り装置の先端回動部が貫通する中央連結穴を設け、さらに前記把持グリップの固定連結板を前記本体の中央連結穴と種子連通穴の位置を同じくして連結し、該円周側には、前記種子送り回転盤の種子収納穴と前記種子搬送管の種子通過口を連通する種子連通穴を設けて成り、前記把持グリップを握り締めて把持することによって、前記種子収納管に収納された種子が、前記種子搬送管の種子排出口より一粒毎に排出される手段を採る。
【００１５】
また本考案の一粒蒔き播種器は、前記本体の種子排出側の円周上に、前記把持グリップの可動グリップ部の回動を前記種子収納穴のピッチ角に応じて段階別に制限するストッパー機構を設けた手段を採る。
【００１６】
また本考案の一粒蒔き播種器は、前記種子選定送り機構の種子送り回転盤の厚みを変えて、多数蒔きも可能とする多数蒔き種子収納穴を設けた手段を採る。
【考案の効果】
【００１７】
本考案の一粒蒔き播種器によれば、把持グリップをワングリップすることで種子送り回転盤が回転し、種子収納穴の所定一つに収納されている種子を本体に固定されている種子選定邪魔板で覆被する構造を採用していることによって、種子が種子収納管内において機械的に強制されることなく自重で分離されるため、一粒蒔きや連続蒔きの場合であっても種子の表皮を傷つけることなく種子の種類や大きさに合わせて遮断（分離）、搬送、播種できる優れた効果を奏する。
【００１８】
また、本考案の一粒蒔き播種器によれば、種子収納管と、種子選定送り機構と、把持グリップと、種子搬送管と、本体とが、直線状に連結されて構成され、小型、軽量で且つ、安価である上、片手で持ちやすい棒状のハンドタイプの構造であると共に、把持グリップをワングリップすることで一粒蒔きの播種作業が容易に出来る優れた効果を奏する。
【００１９】
また、本考案の一粒蒔き播種器によれば、把持グリップをワングリップすることで一粒蒔きまたは多数蒔きの播種作業が、ストッパー機構のストップピンの位置をずらすことにより確実に行えることから、機械操作に疎い年配者や主婦などにおいても装置のメンテナンス作業が容易に行える共に、種子収納容管が中空の透明素材から形成されていることから、種子の残量が外部から視認できる優れた効果を奏する。
【００２０】
また、本考案の一粒蒔き播種器によれば、種子選定機構の種子送り回転盤を厚みの異なる種子送り回転盤に差し替えることで、播種する種子の数量や種類や大きさに合った多数蒔きの播種作業ができる優れた効果を奏する。
【図面の簡単な説明】
【００２１】
【図１】本考案の一粒蒔き播種器における実施形態を示す全体斜視図である。（実施例１）
【図２】本考案の一粒蒔き播種器における実施形態を示す拡散分解図である。
【図３】本考案の一粒蒔き播種器における実施形態を示す断面説明図である。
【図４】本考案の一粒蒔き播種器における種子選定送り機構の詳細説明図である。
【図５】本考案の一粒蒔き播種器における作動状態を示す説明図である。
【図６】本考案の一粒蒔き播種器における別の実施形態を示す説明図である。（実施例２）
【図７】本考案の一粒蒔き播種器における別の実施形態を示す説明図である。（実施例３）
【考案を実施するための形態】
【００２２】
本考案の一粒蒔き播種器は、種子収納管と、種子選定送り機構と、把持グリップと、種子搬送管と、本体と、で構成され、把持グリップを握り締めて把持することによって、種子収納管に収納される種子が種子選定送り機構により一粒毎に選定され、種子排出口より一粒毎に排出する構造を採ったことを最大の特徴とするもので、以下、実施例を図面を基に説明する。
【実施例１】
【００２３】
図１は、本考案の一粒蒔き播種器における実施形態を示す全体斜視図である。
本考案の一粒蒔き播種器１は、種子収納管２０と、種子選定送り機構３０と、把持グリップ４０と、種子搬送管５０と、本体１０とが、直線状に連結されて構成され、小型、軽量で且つ、廉価である上、片手で持ちやすい棒状のハンドタイプの構造であると共に、把持グリップ４０をワングリップすることで一粒蒔きの播種作業が容易に出来るものである。
【００２４】
図２は、本考案の一粒蒔き播種器における実施形態を示す拡散分解図である。
本体１０は、種子投入側１１には、種子収納管２０の種子排出口２３に連結される連結凹部１４を設け、外周側には、種子選定送り機構３０の種子選定邪魔板３４を貫通する貫通長穴１５を設けて取り付けられ、種子排出側１２の中央部には、種子選定送り機構３０のラチェット送り装置３５の先端回動部３６が貫通する中央連結穴１６を設け、さらに把持グリップ４０の固定連結板４２を本体１０の中央連結穴１６と種子連通穴１７の位置と形状を同じくして連結固定し、該円周側には、種子送り回転盤３１の種子収納穴３２と種子搬送管５０の種子通過口５２を連通する種子連通穴１７を設けて構成される。
【００２５】
種子収納管２０は、中空の透明素材で形成され、該中空部を種子収納貯蔵部２１として利用し、一端を種子投入口２２として形成して密封キャップ２４で止栓すると共に、他端を種子排出口２３として形成して構成される。種子収納貯蔵部２１が中空の透明素材で形成されていることによって、播種作業中であっても播種する種子Ｓの残量が確認できるものである。
【００２６】
種子選定送り機構３０は、種子Ｓの一粒毎の厚み３３を有し、同一円周上に等間隔に配置される種子収納穴３２を設けた種子送り回転盤３１と、該種子収納穴３２の所定の一つを覆被する種子選定邪魔板３４と、種子送り回転盤３１の回動中心部に連結されるラチェット送り装置３５とで形成され、本体１０の連結凹部１４内で摺動可能に連結されて構成される。
【００２７】
種子送り回転盤３１は、種子Ｓの一粒毎の厚み３３を有し、同一円周上に等間隔に配置される種子収納穴３２を設けて構成されるもので、ラチェット送り装置３５と把持グリップ４０と連動してワングリップ毎に種子収納穴３２がピッチ角α分送られる構造を有する。
【００２８】
種子収納穴３２は、播種する種子Ｓの種類によって孔径と厚み３３が設定されるもので、種子投入側１１は種子選定邪魔板３４で覆被され、種子排出側１２は本体１０の連結凹部１４に面して摺動する。
【００２９】
種子選定邪魔板３４は、種子送り回転盤３１の種子収納穴３２の所定の一つを覆被する遮蔽板で、本体１０の外周側に貫通する貫通長穴１５を貫通して取り付けられるものである。種子収納穴３２の位置に対して僅かに隙間を空けて遮蔽板を設けることによって、選定される種子Ｓが、機械的に制限されることなく自重でもって選定されるため、種子の表皮にキズが付かないもので、本考案の特徴的要部を占めるものである。
【００３０】
ラチェット送り装置３５は、種子送り回転盤３１をラチェット送り機構を要して回転させるもので、種子送り回転盤３１の回動中心部に連結され、本体１０と摺動可能に連結されて成り、先端回動部３６が把持グリップ４０の可動グリップ部４３に連結固定されて構成されるものである。ラチェット送り機構を利用することによって、ワングリップで種子Ｓが一粒毎に送られるもので本考案の特徴的要部を占めるものである。
【００３１】
ラチェットストップ機構３７は、把持グリップ４０の可動グリップ４３に埋設されるラチェットストップビス３８と、把持グリップ４０の固定連結板４２の種子排出側の下方部に設けられるラチェットストップ穴３９で構成される。ラチェットストップビス３８がラチェットストップ穴３９に当接することによって、把持グリップ４０の可動グリップ４３がピッチ角α毎に「カチッ」という当接音が発生するため作業者は種子の送り量を感覚的に計り知ることができるものである。
【００３２】
把持グリップ４０は、固定連結板４２を有する固定グリップ部４１と、戻りバネ４４を介して扇動自在に可動する可動グリップ部４３とで構成されるもので、ワングリップで播種される種子Ｓが、一粒毎に送られるもので本考案の特徴的要部を占めるものである。
【００３３】
固定グリップ部４１は、中央連結穴１６と種子連通穴１７の位置と形状を同じく形成される固定連結板４２を形成して本体１０に連結固定されるものである。また、固定グリップ部４１は、本体１０と一体化して成型することも可能である。
【００３４】
可動グリップ部４３は、柄部にラチェットストップ機構３７を有してラチェット送り装置３５の先端回動部３６に連結され、戻りバネ４４を介して一定角度内で扇動自在に設けて構成される。
【００３５】
種子搬送管５０は、中空の透明素材で形成され、基端を種子通過口５２とする連結フランジ５１を形成し、先端を種子排出口５３として形成して構成されるもので、搬送管が中空の透明素材で形成されていることによって、播種作業中であっても播種する種子Ｓの詰り状態や搬送状態が確認できるものである。
【００３６】
図３は、本考案の一粒蒔き播種器における実施形態を示す断面説明図である。
本考案の一粒蒔き播種器１の各構成部品の組み立て状態を図示するもので、特に種子選定送り機構３０における種子Ｓの選定状態が従来の一粒蒔きの播種器と大きく異なっている点が注目されるものである。
【００３７】
種子収納管２０に貯蔵された種子Ｓは、種子送り回転盤３１の種子収納穴３２に落下し、作業者が把持グリップをワングリップすることで種子選定送り機構３０の種子送り回転盤３１が回転し、種子選定邪魔板３４によって一粒毎に分離される。該分離された種子Ｓは、本体１０の種子連通穴１７ならびに種子搬送管５０の種子通過口５２を通って種子排出口５３から排出され、一粒毎に播種されるものである。
【００３８】
以上のように、種子収納管２０に貯蔵された種子Ｓが、機械的に強制されることなく自重で分離されるため、一粒蒔きや連続蒔きの場合であっても種子Ｓの表皮を傷つけることなく種子の種類や大きさに合わせて遮断（分離）、搬送、播種されるものである。
【００３９】
図４は、本考案の一粒蒔き播種器における種子選定送り機構の詳細説明図である。
図４（a）は、種子搬出側１２から見た把持グリップの作動状態を示し、図４（b）は、種子投入側１１から見た種子送り回転盤３１と種子選定邪魔板３４の関係を示す説明図である。例えば、把持グリップ４０をワングリップすることでラチェット送り装置３５が3ピッチ角α分回転することでラチェット送り装置３５に連結されている種子送り回転盤３１が3ピッチ角α分回転し、同一円周上に等間隔に配置される種子収納穴３２が図で示すところの3ピッチ角α穴分送られ、種子選定邪魔板３４で遮蔽された状態の種子Ｓが、本体１０の種子連通穴１７ならびに種子搬送管５０の種子通過口５２を通って種子排出口５３から排出され、一粒毎に播種されるものである。
【００４０】
図５は、本考案の一粒蒔き播種器における作動状態を示す説明図である。
下記に動作手順を説明する。
（1）種子収納管２０に収納された種子Ｓは、種子送り回転盤３１の種子収納穴３２に落下する。
（2）種子送り回転盤３１の種子収納穴３２に落下した種子Ｓは、把持グリップ４０をワングリップすることにより種子送り回転盤３１が回転し、種子選定邪魔板３４によって遮蔽される。
（3）種子送り回転盤３１の種子収納穴３２と本体１０の種子通過穴１７と種子搬送管５０の種子通過口５２が連通する状態となる。
（4）種子送り回転盤３１の種子収納穴３２に収納されている種子Ｓが、種子搬送管５０の種子通過口５２に搬送される。
（5）種子搬送管５０の種子排出口５３から種子Ｓが搬出され、播種される。
【実施例２】
【００４１】
図６は、本考案の一粒蒔き播種器における別の実施形態を示す説明図である。
本体１０の種子排出側１２の円周上に、把持グリップ４０の可動グリップ部４３の回動を種子収納穴３２のピッチ角αに応じて段階別に制限するストッパー機構６０を設けた一粒蒔き播種器１とするものである。
【００４２】
図６（a）は、種子搬出側１２から見た把持グリップの作動状態を示し、図６（b）は、種子投入側１１から見た種子送り回転盤３１と種子選定邪魔板３４の関係を示すものである。例えば、把持グリップ４０の可動グリップ部４３の回動を種子収納穴３２のピッチ角α二つ穴分に制限するストッパー穴６２の穴位置にストッパーピン６１をセットすることにより可動グリップ部４３はピッチ角α二つ穴分しか扇動できなくなり、同調する種子送り回転盤３１の種子収納穴３２はピッチ角α二つ穴分回転する。つまりストッパー穴６２の穴位置によって播種される種子Ｓの個数を限定することができるものである。
【実施例３】
【００４３】
図７は、本考案の一粒蒔き播種器における別の実施形態を示す説明図である。
種子選定送り機構３０の種子送り回転盤３１の厚み３３を変えて、多数蒔きも可能とする多数蒔き種子収納穴６３を設けた多数蒔きの播種器とするものである。
【００４４】
種子選定送り機構３０の種子送り回転盤３１の厚み３３を変えることによって、種子収納穴３２の収納容積が大きくなるため、播種する種子Ｓが多数蒔種子収納穴６３に収容され、多数蒔きが可能となるものである。つまり、多数蒔種子収納穴６３に収納される種子Ｓの数量とストッパーピン６１の位置で設定される種子Ｓの数量を組み合わせて作業者が意図とする数量毎に播種することができるものである。
【産業上の利用可能性】
【００４５】
本考案の一粒蒔き播種器は、種子の表皮を傷つけることなく種子の種類や大きさに合わせて一粒毎ならびに多粒毎に切り替えて、分離、搬送、播種できる一粒蒔きの播種器であることから、農作業、園芸用の播種作業用としてや、果樹や植木、菜園の粒状肥料や除草剤の散布器としてや、魚類養殖用の餌やり器としても使用できるもので、本考案における一粒蒔き播種器の産業上の利用可能性は大とするものと解する。
【符号の説明】
【００４６】
１    一粒蒔き播種器
１０  本体
１１  種子投入側
１２  種子排出側
１３  外周側
１４  連結凹部
１５  貫通長穴
１６  中央連結穴
１７  種子連通穴
２０  種子収納管
２１  種子収納貯蔵部
２２  種子投入口
２３  種子排出口
２４  密封キャップ
３０  種子選定送り機構
３１  種子送り回転盤
３２  種子収納穴
３３  厚み
３４  種子選定邪魔板
３５  ラチェット送り装置
３６  先端回動部
３７  ラチェットストップ機構
３８  ラチェットストップビス
３９  ラチェットストップ穴
４０  把持グリップ
４１  固定グリップ部
４２  固定連結板
４３  可動グリップ部
４４  戻りバネ
５０  種子搬送管  
５１  連結フランジ
５２  種子通過口
５３  種子排出口
６０ストッパー機構
６１ストッパーピン
６２ストッパー穴
６３  多数蒔種子収納穴
Ｓ    種子
α    ピッチ角
【図１】
0003170514.tif 000003
【図２】
0003170514.tif 000004
【図３】
0003170514.tif 000005
【図４】
0003170514.tif 000006
【図５】
0003170514.tif 000007
【図６】
0003170514.tif 000008
【図７】
0003170514.tif 000009